(57)【要約】【課題】テレビジョンスタンドの上にテレビジョン受像機を載せた際に自動的にロックできる転倒防止装置を提供すること。【解決手段】テレビジョン受像機１２の一部が転倒防止装置２２の載置部２４０２に載せられると、第１の位置に位置している昇降ボタン２６は下方に沈み込み第２の位置に移動する。昇降ボタン２６が第２の位置に移動すると、リンク機構３４は係止片３２のフレーム２４への係止を解除し、ロック爪２８は没入位置から突出位置に移動する。そして、テレビジョン受像機１２の後部にロック爪２８が係合し、テレビジョン受像機１２の転倒防止が図られる。また、摘まみ３０を没入位置方向へ移動すれば、ロック爪２８は摘まみ３０と一体に没入位置に移動して没入位置に保持され、転倒防止機能が解除され、したがって、摘まみ３０の操作によりその解除も簡単になされる。【選択図】        図３
2004357113.tif 000002
【特許請求の範囲】
【請求項１】
テレビジョンスタンドに固着されるフレームと、
前記フレームに設けられテレビジョン受像機の一部が載置される載置部と、
前記載置部よりも高所の前記フレーム箇所に設けられたロック部と、
前記載置部に上下方向に移動可能に設けられ、前記載置部から上方に突出した第１の位置と、前記載置部内に没入した第２の位置との間で移動し、前記第１の位置方向に付勢されテレビジョン受像機が載置されることで前記第２の位置となる昇降ボタンと、
前記ロック部に水平方向に移動可能に設けられ、前記ロック部から突出した突出位置と、前記ロック部内に没入した没入位置との間で移動し、前記突出位置方向に付勢され前記突出位置で前記テレビジョン受像機に係合するロック爪と、
前記ロック爪に設けられ該ロック爪を前記突出位置から没入位置に移動させる摘まみと、
前記ロック爪が前記突出位置から没入位置に位置した際に前記ロック部に係止しロック爪を没入位置に保持する係止片と、
前記昇降ボタンとロック爪とを連結するリンク機構とを備え、
前記リンク機構は、前記昇降ボタンが第１の位置から第２の位置に移動すると前記係止片の前記ロック部への係止を解除するように構成されている、
ことを特徴とするテレビジョン受像機の転倒防止装置。
【請求項２】
前記ロック爪は、前記フレームの最も高所に位置する上面部の下方で水平方向に移動するように配設され、前記摘まみはロック爪の上面から上方に突出して設けられ、前記摘まみは、前記上面部に設けられた開口内に位置していることを特徴とする請求項１記載のテレビジョン受像機の転倒防止装置。
【請求項３】
前記ロック爪は、上面部と、この上面部の下方の下面部との間で水平方向に移動するように配設され、前記下面部には開口が設けられ、前記ロック爪は前記下面部に摺動可能な下面を有し、前記係止片は前記下面の下方に突出する端部を有し、前記ロック爪が突出位置から没入位置に位置した際に前記係止片の端部が前記開口の縁に係止するように構成されていることを特徴とする請求項１記載のテレビジョン受像機の転倒防止装置。
【請求項４】
前記昇降ボタンが第２の位置に位置し、前記ロック爪が突出位置に位置した状態で、前記摘まみを没入位置方向に動かすと、前記ロック爪は突出位置から没入位置に移動し、没入位置において前記係止片が前記ロック部に係止しロック爪が没入位置に保持されることを特徴とする請求項１記載のテレビジョン受像機の転倒防止装置。
【発明の詳細な説明】
【０００１】
【発明の属する技術分野】
本発明はテレビジョン受像機の転倒を防止する装置に関する。
【０００２】
【従来の技術】
テレビジョン受像機の大型化に伴って、テレビジョン受像機は、専用のテレビジョンスタンドに搭載されて設置される場合が多い。
そして、テレビジョン受像機の大型化によりその重量も増大しており、テレビジョンスタンドには、搭載されたテレビジョン受像機の転倒を防止する装置が設けられている（例えば特許文献１）。
【０００３】
【特許文献１】
特開平５−６８２２０号公報
【０００４】
【発明が解決しようとする課題】
しかしながら、従来の転倒防止装置では、テレビジョンスタンドの上にテレビジョン受像機を載せる作業とは別にバックルを操作する必要があり、テレビジョンスタンドの上にテレビジョン受像機を簡単にロックすることができない不具合があった。
本発明は前記事情に鑑み案出されたものであって、本発明の目的は、テレビジョンスタンドの上にテレビジョン受像機を載せた際に自動的にロックできる転倒防止装置を提供することにある。
【０００５】
【課題を解決するための手段】
前記目的を達成するため本発明は、テレビジョンスタンドに固着されるフレームと、前記フレームに設けられテレビジョン受像機の一部が載置される載置部と、前記載置部よりも高所の前記フレーム箇所に設けられたロック部と、前記載置部に上下方向に移動可能に設けられ、前記載置部から上方に突出した第１の位置と、前記載置部内に没入した第２の位置との間で移動し、前記第１の位置方向に付勢されテレビジョン受像機が載置されることで前記第２の位置となる昇降ボタンと、前記ロック部に水平方向に移動可能に設けられ、前記ロック部から突出した突出位置と、前記ロック部内に没入した没入位置との間で移動し、前記突出位置方向に付勢され前記突出位置で前記テレビジョン受像機に係合するロック爪と、前記ロック爪に設けられ該ロック爪を前記突出位置から没入位置に移動させる摘まみと、前記ロック爪が前記突出位置から没入位置に位置した際に前記ロック部に係止しロック爪を没入位置に保持する係止片と、前記昇降ボタンとロック爪とを連結するリンク機構とを備え、前記リンク機構は、前記昇降ボタンが第１の位置から第２の位置に移動すると前記係止片の前記ロック部への係止を解除するように構成されていることを特徴とする。
本発明によれば、テレビジョン受像機の一部が、転倒防止装置の載置部に載せられると、第１の位置に位置している昇降ボタンは第２の位置に移動する。昇降ボタンが第２の位置に移動すると、リンク機構は係止片のフレームへの係止を解除し、ロック爪は没入位置から突出位置に移動する。そして、テレビジョン受像機にロック爪が係合し、テレビジョン受像機の転倒防止が図られる。
【０００６】
【発明の実施の形態】
以下、本発明の実施の形態を図面を参照して説明する。
図１はテレビジョンスタンドおよびテレビジョンテレビジョン受像機の側面図、図２はテレビジョンスタンドの平面図を示す。
テレビジョン受像機１２はテレビジョンスタンド２０の上に載置され、転倒防止装置２２によりテレビジョンスタンド２０上でのテレビジョン受像機１２の転倒の防止が図られている。
テレビジョン受像機１２の筐体１４の底部には、筐体１４の前面から前方へ引き出し可能にペデスタル１６が設けられ、不使用時には筐体１４内に収容できるように構成されている。このペデスタル１６は、テレビジョン受像機１２に関する転倒力や転倒角などの安全基準を満たすために用いるものである。
【０００７】
本実施の形態では、転倒防止装置２２がテレビジョンスタンド２０の後部左右にそれぞれ設けられている。
図３は昇降ボタンが突出しロック爪が没入した状態の転倒防止装置の斜視図、図４は昇降ボタンが没入しロック爪が突出した状態の転倒防止装置の斜視図、図５は転倒防止装置の分解斜視図、図６はロック爪部分の断面図、図７（Ａ）はロック爪を斜め下方から見た図、（Ｂ）はロック爪の平面図、図８は昇降ボタンが第１の位置に位置しロック爪が没入位置に位置した状態のリンク機構の説明図、図９は昇降ボタンが第２の位置に位置しロック爪が突出位置に位置した状態のリンク機構の説明図、図１０は昇降ボタンが第２の位置に位置しロック爪が没入位置に位置した状態のリンク機構の説明図、図１１は昇降部材の斜視図を示す。
転倒防止装置２２は、フレーム２４、昇降ボタン２６、ロック爪２８、摘まみ３０、係止片３２、リンク機構３４などを含んで構成されている。
フレーム２４は、図５に示すように、板金製の３つのフレーム部材２４Ａ、２４Ｂ、２４Ｃが組み合わされて構成されている。
フレーム２４の低所に載置部２４０２が設けられ、載置部２４０２の上方のフレーム２４箇所にロック部２４１０が設けられている。
【０００８】
昇降ボタン２６は合成樹脂製で円柱状を呈し、その軸心を上下に向けて載置部２４０２に上下方向に移動可能に配設されている。昇降ボタン２６は載置部２４０２の孔２４０４から上方に突出するように不図示のコイルスプリングにより付勢されて配設されている。
そして、鍔部２６０２（図５参照）が孔２４０４の下面に係止することで載置部２４０２から突出する第１の位置となり、また、載置部２４０２の上にテレビジョン受像機１２の一部が載置されると、昇降ボタン２６は載置部２４０２の下方に沈み込み、昇降ボタン２６の上面が載置部２４０２と同一面となる第２の位置になるように構成されている。
【０００９】
ロック爪２８は合成樹脂製で、ロック部２４１０に水平方向に移動可能に配設され、ロック部２４１０から突出した突出位置と、ロック部２４１０内に没入した没入位置との間で移動し、突出位置でテレビジョン受像機１２に係合するように構成されている。
より詳細には、ロック爪２８は、フレーム２４の下面部２４１２と上面部２４１４との間に配設され、上面部２４１４はフレーム２４の最も高所に位置している。
摘まみ３０は、ロック爪２８の上面に突設されており、係止片３２は、ロック爪２８の下面中央に上下に弾性変形可能に設けられ、係止片３２の前端３２０２はロック爪２８の下面よりも下方に突出している。
【００１０】
図５に示すように、フレーム２４の下面部２４１２には開口２４１６が形成され、ロック爪２８の没入位置において、開口２４１６の前縁に係止片３２の前端３２０２が係止し、これによりロック爪２８の没入位置が保持されるように構成されている。
また、上面部２４１４には開口２４１８が形成され、ロック爪２８の突出位置において、開口２４１８の前縁に摘まみ３０の前端が係止し、これによりロック爪２８の突出位置が保持されるように構成されている。
図６に示すように、ロック爪２８の後部中央に設けた軸２８０２にコイルスプリング２８０４が巻装され、このコイルスプリング２８０４が下面部２４１２の後端の起立壁２４１２Ａに当接することでロック爪２８は突出位置方向に付勢されている。
【００１１】
リンク機構３４は、昇降ボタン２６が第１の位置から第２の位置に沈み込むこと、係止片３２のフレーム２４への係止を解除するように構成されている。したがって、テレビジョン受像機１２の一部が載置部２４０２に載せられ、昇降ボタン２６が第１の位置から第２の位置に沈み込むと、図８から図９に示すように、リンク機構３４を介してロック爪２８は没入位置から突出位置に移動する。
リンク機構３４は、昇降ボタン２６の下端に連結され軸３４０２を支点として揺動する第１レバー３４０４と、第１レバー３４０４に連結され軸３４０６および係合溝３４０８を支点として揺動する第２レバー３４１０と、案内軸３４１２により上下に移動可能に配設され第２レバー３４１０の上端に連結された合成樹脂製の昇降部材３４１４などを備えている。より詳細には、第２レバー３４１０と昇降部材３４１４とは、第２レバー３４１０の上端に取着されたカムフォロアが昇降部材３４１４のカム溝３４１５（図１１参照）に係合されることで連結されている。
【００１２】
昇降部材３４１４の上端は、係止片３２の前端３２０２に係合可能な形状で形成されている。
昇降ボタン２６が第１の位置に位置した状態で、図６に想像線で示したように、昇降部材３４１４の上端は係止片３２の前端３２０２に係合しており、昇降ボタン２６が下降すると、第１レバー３４０４および第２レバー３４１０がそれぞれ揺動し、昇降部材３４１４を上昇させ、これにより係止片３２の前端３２０２が開口２４５１６の前縁から外れ下面２４１２上に位置し、ロック爪２８が没入位置から突出位置へ移動するように構成されている。
【００１３】
また、昇降ボタン２６が第２の位置に位置し、ロック爪２８が突出位置に位置した状態において、すなわち、テレビジョン受像機１２が載置部２４０２に載せられた状態で、摘まみ３０を没入位置方向へ移動させると、摘まみ３０と一体にロック爪２８は突出位置から没入位置へ移動し、ロック爪２８が没入位置に位置すると、図６の状態よりも更に上方に位置した昇降部材３４１４が図６の上下位置まで戻され、係止片３２の前端３２０２が開口２４５１６の前縁に係止し、昇降部材３４１４の上端が係止片３２の前端３２０２に係合し、ロック爪２８は没入状態に保持される。この場合、図９から図１０に示すように、昇降部材３４１４の下方への移動時、第２レバー３４１０の上端に取着されたカムフォロアに対して昇降部材３４１４のカム溝３４１５が相対的に移動する。
さらに、昇降ボタン２６が第１の位置に位置し、ロック爪２８が突出位置に位置した状態において、摘まみ３０を没入位置方向へ移動させると、摘まみ３０と一体にロック爪２８は突出位置から没入位置へ移動し、ロック爪２８が没入位置に位置すると、図６の状態よりも更に上方に位置した昇降部材３４１４が図６の上下位置まで戻され、係止片３２の前端３２０２が開口２４５１６の前縁に係止し、昇降部材３４１４の上端が係止片３２の前端３２０２に係合し、ロック爪２８は没入状態に保持される。
【００１４】
本実施の形態によれば、テレビジョン受像機１２がテレビジョンスタンド２０の上に載置されると、テレビジョン受像機１２の一部が、転倒防止装置２２の載置部２４０２に載せられる。
これにより、第１の位置に位置している昇降ボタン２６は下方に沈み込み、第２の位置に移動する。昇降ボタン２６が第２の位置に移動すると、リンク機構３４は係止片３２のフレーム２４への係止を解除し、ロック爪２８は没入位置から突出位置に移動する。そして、テレビジョンスタンド２０の上に載置されたテレビジョン受像機１２の後部にロック爪２８が係合し、テレビジョン受像機１２の転倒防止が図られる。
したがって、従来のようにバックルなどを何ら操作することなく、テレビジョン受像機１２がテレビジョンスタンド２０の上に載置されることで、テレビジョン受像機１２の転倒防止が自動的に図られる。
また、転倒防止装置２２によるテレビジョン受像機１２の転倒防止機能を解除する場合には、摘まみ３０を没入位置方向へ移動すれば、ロック爪２８は摘まみ３０と一体に没入位置に移動して没入位置に保持され、転倒防止機能が解除される。したがって、摘まみ３０の操作によりその解除も簡単になされる。
【００１５】
なお、本実施の形態の転倒防止装置２２に加え、テレビジョン受像機１２をテレビジョンスタンド２０にロックするその他の種々の形式のロック機構を設けるなど任意である。
【００１６】
【発明の効果】
以上説明したように本発明によれば、テレビジョンスタンドの上にテレビジョン受像機を載せた際に、テレビジョン受像機を自動的にロックできる転倒防止装置が得られる。
【図面の簡単な説明】
【図１】テレビジョンスタンドおよびテレビジョンテレビジョン受像機の側面図である。
【図２】テレビジョンスタンドの平面図である。
【図３】昇降ボタンが突出しロック爪が没入した状態の転倒防止装置の斜視図である。
【図４】昇降ボタンが没入しロック爪が突出した状態の転倒防止装置の斜視図である。
【図５】転倒防止装置の分解斜視図である。
【図６】ロック爪部分の断面図である。
【図７】（Ａ）はロック爪を斜め下方から見た図、（Ｂ）はロック爪の平面図である。
【図８】昇降ボタンが第１の位置に位置しロック爪が没入位置に位置した状態のリンク機構の説明図である。
【図９】昇降ボタンが第２の位置に位置しロック爪が突出位置に位置した状態のリンク機構の説明図である。
【図１０】昇降ボタンが第２の位置に位置しロック爪が没入位置に位置した状態のリンク機構の説明図である。
【図１１】昇降部材の斜視図である。
【符号の説明】
１２……テレビジョン受像機、２０……テレビジョンスタンド、２２……転倒防止装置、２４……フレーム、２６……昇降ボタン、２８……ロック爪、３０……摘まみ、３２……係止片、３４……リンク機構。
【図１】
2004357113.tif 000003
【図２】
2004357113.tif 000004
【図３】
2004357113.tif 000005
【図４】
2004357113.tif 000006
【図５】
2004357113.tif 000007
【図６】
2004357113.tif 000008
【図７】
2004357113.tif 000009
【図８】
2004357113.tif 000010
【図９】
2004357113.tif 000011
【図１０】
2004357113.tif 000012
【図１１】
2004357113.tif 000013